(57)【特許請求の範囲】
【請求項１】
光ディスクに光を照射し、該光ディスクを記録・再生し、その再生の際は、前記光ディスクからの反射光の光量が低レベルとなり、その記録の際は、前記光ディスクからの反射光の光量が、前記光ディスクに記録するデータに応じて高レベルと低レベルとに交互に切り替わる光ディスク装置における光学ヘッドの出力制御回路であって、
前記光ディスクからの反射光を受光し、その光量に応じた電流を出力する複数の受光領域を備えた受光部からの電流を電圧に変換する少なくとも１つの第１の電流−電圧変換部と、前記受光部からの電流を電圧に変換する少なくとも１つの第２の電流−電圧変換部とを備えた電流−電圧変換手段と、
前記受光部からの電流を、前記第１の電流−電圧変換部に導く主路と、
分岐部を介して前記主路から分岐し、前記受光部からの電流を前記第１の電流−電圧変換部以外の部位または前記第２の電流−電圧変換部に導く分路と、
前記受光部からの電流を前記主路と前記分路とのうちのいずれに供給するかを選択する選択手段とを有し、
再生の際は、前記選択手段は、前記受光部からの電流を、前記分路には供給せずに、前記主路に供給するよう選択し、これにより、前記第１の電流−電圧変換部において前記受光部からの電流が電圧に変換されて出力され、前記第２の電流−電圧変換部からは基準電圧に応じた電圧が出力され、
記録の際は、前記選択手段は、前記光ディスクからの反射光の光量が低レベルのときは、前記受光部からの電流を、前記分路には供給せずに、前記主路に供給するよう選択し、これにより、前記第１の電流−電圧変換部において前記受光部からの電流が電圧に変換されて出力され、前記第２の電流−電圧変換部からは基準電圧に応じた電圧が出力され、
前記光ディスクからの反射光の光量が高レベルのときは、前記受光部からの電流を、前記主路には供給せずに、前記分路に供給するよう選択し、これにより、前記第２の電流−電圧変換部において前記受光部からの電流が電圧に変換されて出力され、前記第１の電流−電圧変換部からは基準電圧に応じた電圧が出力されるように構成されていることを特徴とする光学ヘッドの出力制御回路。
【請求項２】
前記光ディスクに照射される光は、主ビームと副ビームとであり、
前記光ディスクからの反射光の光量が高レベルのとき、前記主ビームの前記光ディスクからの反射光に対応する前記受光部からの電流は、前記分路により前記第２の電流−電圧変換部に導かれるよう構成されている請求項１に記載の光学ヘッドの出力制御回路。
【請求項３】
前記選択手段は、前記分岐部に設けられ、該分岐部における前記受光部と前記主路との導通状態と、該分岐部における前記受光部と前記分路の導通状態とを選択的に切り替える切替スイッチで構成されている請求項１または２に記載の光学ヘッドの出力制御回路。
【請求項４】
前記第１の電流−電圧変換部からの電圧を保持し得る保持回路を有する請求項１ないし３のいずれかに記載の光学ヘッドの出力制御回路。
【請求項５】
請求項１ないし３のいずれかに記載の光学ヘッドの出力制御回路と、前記光ディスクからの反射光を受光し、その光量に応じた電流を出力する複数の受光領域を備えた受光部とを一体化したことを特徴とする光学ヘッドの出力制御回路。
【発明の詳細な説明】
【０００１】
【発明の属する技術分野】
本発明は、光ディスク装置における光学ヘッドの出力制御回路に関する。
【０００２】
【従来の技術】
ＣＤ−ＲＯＭ等の再生専用の光ディスクや、ＣＤ−Ｒ、ＣＤ−ＲＷ等の記録・再生が可能な光ディスクを再生、または記録・再生する光ディスク装置が知られている。
【０００３】
この光ディスク装置は、光ディスクに対し、その径方向に移動し得る光学ヘッド（光ピックアップ）と、この光学ヘッドを径方向に移動させるスレッドモータを備えた光学ヘッド移動機構とを有している。
【０００４】
光学ヘッドは、レーザダイオード、分割フォトダイオードおよびＩ−Ｖアンプを備えた光学ヘッド本体（光ピックアップベース）と、この光学ヘッド本体に光ディスクの径方向および回転軸方向のそれぞれに移動し得るようにサスペンジョンバネで支持されている対物レンズと、この対物レンズを回転軸方向および径方向に移動させるアクチュエータとで構成されている。
【０００５】
このような光ディスク装置では、所定のトラックにおいて、フォーカス制御やトラッキング制御等を行いつつ、光ディスクへの情報（データ）の記録や、光ディスクからの情報の再生（読み出し）を行う。
【０００６】
図１１は、従来の光ディスク装置の分割フォトダイオードおよびＩ−Ｖアンプを示す回路図である。
【０００７】
同図に示すように、分割フォトダイオード１１０には、Ｉ−Ｖアンプ１２１、１２２、１２３、１２４、１２５および１２６が、それぞれ、電気的に接続されている。
【０００８】
記録・再生の際は、図示しないレーザダイオードからのレーザ光が図示しない光ディスクに照射される。
【０００９】
この場合、再生の際は、光ディスクに照射されるレーザ光の出力レベルが再生レベルとなり、光ディスクからの反射光の光量が低レベルとなる。
【００１０】
また、記録の際は、ピットを形成するとき、レーザ光の出力レベルが記録レベル（再生レベルの約１０〜３０倍程度）となり、光ディスクからの反射光の光量が高レベルとなる。そして、記録の際は、ピットを形成しないとき（ランドを形成するとき）、レーザ光の出力レベルが再生レベルとなり、光ディスクからの反射光の光量が低レベルとなる。
【００１１】
光ディスクからの反射光（レーザ光）は、分割フォトダイオード１１０の受光領域１１１、１１２、１１３、１１４、１１５および１１６で受光される。そして、分割フォトダイオード１１０の各受光領域１１１〜１１６での受光量に応じた電流が、それぞれ出力される。
【００１２】
分割フォトダイオード１１０からの各電流は、それぞれ、Ｉ−Ｖアンプ１２１、１２２、１２３、１２４、１２５および１２６により、所定の増幅率で増幅され、かつ電圧に変換され、後段の所定の回路に入力される。
【００１３】
再生専用の光ディスク装置の場合には、前述したように、光ディスクに照射されるレーザ光の出力レベルが一定（再生レベル）であるので、分割フォトダイオード１１０からの電流の変化は、比較的少ない。
【００１４】
しかしながら、記録および再生が可能な光ディスク装置の場合には、前述したように、記録の際、光ディスクに照射されるレーザ光の出力レベルが再生時のそれの１０〜３０倍程度となるので、Ｉ−Ｖアンプのダイナミックレンジが足りなくなるという問題がある。
【００１５】
すなわち、記録および再生が可能な光ディスク装置の場合には、Ｉ−Ｖアンプの増幅率を再生に適するように比較的大きい値に設定すると、記録の際、そのＩ−Ｖアンプで電流を電圧に変換するときに、その電圧波形の高圧側が途中できれてしまい、これにより受光量に応じた正確な電圧を得ることができないおそれがある。このため、記録時の所定の制御に不都合を生じることがある。
【００１６】
逆に、Ｉ−Ｖアンプの増幅率を記録に適するように比較的小さい値に設定すると、再生の際、そのＩ−Ｖアンプから出力される電圧（信号のレベル）が小さくなりすぎ、これにより再生時の所定の制御に不都合を生じることがある。
【００１７】
このような問題を解決するには、ダイナミックレンジが比較的大きいＩ−Ｖアンプを用いればよいが、それにも限界がある。
【００１８】
【発明が解決しようとする課題】
本発明の目的は、光ディスク装置における記録（記録時の制御）や、再生（再生時の制御）を適正に行うことができる光学ヘッドの出力制御回路を提供することにある。
【００１９】
【課題を解決するための手段】
このような目的は、下記（１）〜（５）の本発明により達成される。
【００２０】
（１）  光ディスクに光を照射し、該光ディスクを記録・再生し、その再生の際は、前記光ディスクからの反射光の光量が低レベルとなり、その記録の際は、前記光ディスクからの反射光の光量が、前記光ディスクに記録するデータに応じて高レベルと低レベルとに交互に切り替わる光ディスク装置における光学ヘッドの出力制御回路であって、
前記光ディスクからの反射光を受光し、その光量に応じた電流を出力する複数の受光領域を備えた受光部からの電流を電圧に変換する少なくとも１つの第１の電流−電圧変換部と、前記受光部からの電流を電圧に変換する少なくとも１つの第２の電流−電圧変換部とを備えた電流−電圧変換手段と、
前記受光部からの電流を、前記第１の電流−電圧変換部に導く主路と、
分岐部を介して前記主路から分岐し、前記受光部からの電流を前記第１の電流−電圧変換部以外の部位または前記第２の電流−電圧変換部に導く分路と、
前記受光部からの電流を前記主路と前記分路とのうちのいずれに供給するかを選択する選択手段とを有し、
再生の際は、前記選択手段は、前記受光部からの電流を、前記分路には供給せずに、前記主路に供給するよう選択し、これにより、前記第１の電流−電圧変換部において前記受光部からの電流が電圧に変換されて出力され、前記第２の電流−電圧変換部からは基準電圧に応じた電圧が出力され、
記録の際は、前記選択手段は、前記光ディスクからの反射光の光量が低レベルのときは、前記受光部からの電流を、前記分路には供給せずに、前記主路に供給するよう選択し、これにより、前記第１の電流−電圧変換部において前記受光部からの電流が電圧に変換されて出力され、前記第２の電流−電圧変換部からは基準電圧に応じた電圧が出力され、
前記光ディスクからの反射光の光量が高レベルのときは、前記受光部からの電流を、前記主路には供給せずに、前記分路に供給するよう選択し、これにより、前記第２の電流−電圧変換部において前記受光部からの電流が電圧に変換されて出力され、前記第１の電流−電圧変換部からは基準電圧に応じた電圧が出力されるように構成されていることを特徴とする光学ヘッドの出力制御回路。
【００２１】
（２）  前記光ディスクに照射される光は、主ビームと副ビームとであり、
前記光ディスクからの反射光の光量が高レベルのとき、前記主ビームの前記光ディスクからの反射光に対応する前記受光部からの電流は、前記分路により前記第２の電流−電圧変換部に導かれるよう構成されている上記（１）に記載の光学ヘッドの出力制御回路。
【００２３】
（３）  前記選択手段は、前記分岐部に設けられ、該分岐部における前記受光部と前記主路との導通状態と、該分岐部における前記受光部と前記分路の導通状態とを選択的に切り替える切替スイッチで構成されている上記（１）または（２）に記載の光学ヘッドの出力制御回路。
【００２５】
（４）  前記第１の電流−電圧変換部からの電圧を保持し得る保持回路を有する上記（１）ないし（３）のいずれかに記載の光学ヘッドの出力制御回路。
【００２６】
（５）  上記（１）ないし（３）のいずれかに記載の光学ヘッドの出力制御回路と、前記光ディスクからの反射光を受光し、その光量に応じた電流を出力する複数の受光領域を備えた受光部とを一体化したことを特徴とする光学ヘッドの出力制御回路。
【００２８】
【発明の実施の形態】
以下、本発明の光学ヘッドの出力制御回路を添付図面に示す好適実施例に基づいて詳細に説明する。
【００２９】
図１は、本発明の光学ヘッドの出力制御回路を備えた光ディスク装置の構成例（主要部）を示すブロック図である。
【００３０】
同図に示す光ディスク装置１は、光ディスク（ＣＤ−Ｒ）２を記録・再生するＣＤ−Ｒドライブ装置である。
【００３１】
光ディスク２には、図示しない螺旋状のプリグルーブ（ＷＯＢＢＬＥ：ウォブル）が形成されている。
【００３２】
このプリグルーブは、所定の周期（１倍速で２２．０５kHz ）で蛇行しているとともに、該プリグルーブには、ＡＴＩＰ（Absolute Time In Pre-Groove ）情報（時間情報）が記録されている。
【００３３】
このプリグルーブは、光ディスク２へのピット／ランド形成（ピット／ランド記録）時の案内溝として機能する。また、このプリグルーブは、再生され、光ディスク２の回転速度制御や、光ディスク２上の記録位置（絶対時間）の特定等に利用される。
【００３４】
光ディスク装置１は、ターンテーブルおよびターンテーブル回転用のスピンドルモータ１１を備え、このターンテーブルに光ディスク２を装着して回転させる図示しない回転駆動機構を有している。
【００３５】
また、光ディスク装置１は、前記装着された光ディスク２（ターンテーブル）に対し、光ディスク２の径方向（ターンテーブルの径方向）に移動し得る光学ヘッド（光ピックアップ）３と、この光学ヘッド３を前記径方向に移動させるスレッドモータ７を備えた図示しない光学ヘッド移動機構（光学ヘッド本体移動機構）と、サンプルホールド回路（保持回路）８と、制御手段９と、これらを収納する図示しないケーシングとを有している。以下、前記光ディスク２の径方向を単に「径方向」と言う。
【００３６】
光学ヘッド３は、図示しないレーザダイオード（光源）、分割フォトダイオード（受光部）５およびＩ−Ｖアンプ６を備えた図示しない光学ヘッド本体（光ピックアップベース）と、図示しない対物レンズ（集光レンズ）とを有している。なお、分割フォトダイオード５およびＩ−Ｖアンプ６については、後に詳述する。
【００３７】
対物レンズは、光学ヘッド本体に設けられた図示しないサスペンジョンバネで支持され、光学ヘッド本体に対し、径方向および光ディスク２（ターンテーブル）の回転軸方向のそれぞれに移動し得るようになっている。対物レンズがその中立位置（中点）からずれると、その対物レンズは、前記サスペンジョンバネの復元力によって中立位置に向って付勢される。以下、前記光ディスク２の回転軸方向を単に「回転軸方向」と言う。
【００３８】
また、光学ヘッド３は、光学ヘッド本体に対し、径方向および回転軸方向のそれぞれに対物レンズを移動させるアクチュエータ４を有している。
【００３９】
制御手段９は、通常、マイクロコンピュータ（ＣＰＵ）で構成され、光学ヘッド３（アクチュエータ４、レーザダイオード等）、スレッドモータ７、スピンドルモータ１１、サンプルホールド回路８等、光ディスク装置１全体の制御を行う。
【００４０】
なお、光ディスク装置１には、図示しないインターフェース制御部を介して外部装置（例えば、コンピュータ）が着脱自在に接続され、光ディスク装置１と外部装置との間で通信を行うことができる。
【００４１】
図２は、記録または再生時における光ディスク２に照射されたレーザ光の反射光と、分割フォトダイオード５との位置関係を模式的に示す図、図３は、本発明の光学ヘッドの出力制御回路の第１実施例を示す回路図である。
【００４２】
これらの図に示すように、この光ディスク装置１では、ＤＰＰ（Differential Push Pull）方式を採用しており、記録または再生の際は、光ディスク２に形成されているプリグルーブ３１に、メインビーム（主ビーム）が照射され、前記プリグルーブ３１に隣接する一方のランド３２に、２つのサブビーム（副ビーム）のうちの一方のサブビームが照射され、前記プリグルーブ３１に隣接する他方のランド３３に、他方のサブビームが照射される。
【００４３】
分割フォトダイオード５は、光ディスク２に照射されたメインビームの反射光を受光する４つの受光領域５１、５２、５３および５４と、光ディスク２に照射された２つのサブビームのうちの一方の反射光を受光する２つの受光領域５５および５６と、光ディスク２に照射された２つのサブビームのうちの他方の反射光を受光する２つの受光領域５７および５８とを有し、各受光領域５１、５２、５３、５４、５５、５６、５７および５８での受光量に対応する電流Ｉａ、Ｉｂ、Ｉｃ、Ｉｄ、Ｉｅ、Ｉｆ、ＩｇおよびＩｈが、それぞれ、出力端子５１１、５１２、５１３、５１４、５１５、５１６、５１７および５１８から出力されるように構成されている。
【００４４】
なお、分割フォトダイオード５の各カソードには、それぞれ、所定レベルの電圧Ｖｐ（例えば、＋５Ｖ）が印加されている。
【００４５】
Ｉ−Ｖアンプ６は、スイッチ部（選択手段）２１と、電流−電圧変換手段２２とを一体化したデバイスである。この場合、スイッチ部２１は、入力側に設けられ、電流−電圧変換手段２２は、出力側に設けられている。
【００４６】
スイッチ部２１は、６つの切替スイッチ２１１、２１２、２１３、２１４、２１５および２１６で構成されている。各切替スイッチ２１１〜２１６は、それぞれ、例えば、アナログスイッチで構成される。
【００４７】
各切替スイッチ２１１〜２１６の作動は、それぞれ、制御手段９からの制御信号により制御される。
【００４８】
電流−電圧変換手段２２は、６つの第１の電流−電圧変換部（第１の電流−電圧変換増幅回路）２２１、２２２、２２３、２２４、２２５および２２６と、第２の電流−電圧変換部（第２の電流−電圧変換回路）２２７とで構成されている。以下、第１の電流−電圧変換部および第２の電流−電圧変換部をそれぞれ単に「電流−電圧変換部」と言う。
【００４９】
各電流−電圧変換部２２１〜２２７は、それぞれ、オペアンプを備えた差動増幅器で構成されている。
【００５０】
そして、各電流−電圧変換部２２１〜２２７の非反転入力端子には、それぞれ、所定レベルの基準電圧Ｖref （例えば、＋２．５Ｖ）が印加されている。
【００５１】
電流−電圧変換部２２１〜２２６の増幅率等の諸条件は、それぞれ、光ディスク２に照射されるレーザ光の出力レベルが再生レベル（低レベル）のとき、すなわち、光ディスク２からの反射光の光量が低レベルのとき、分割フォトダイオード５の対応する出力端子（受光領域）から出力される電流を必要かつ十分なレベルの電圧に変換し得るように設定される。
【００５２】
この場合、光ディスク２に照射されるレーザ光の出力レベルが再生レベル、すなわち、光ディスク２からの反射光の光量が低レベルであるので、電流−電圧変換部２２１〜２２６のダイナミックレンジは、それぞれ、十分に足りる。
【００５３】
また、電流−電圧変換部２２７の増幅率等の諸条件は、光ディスク２に照射されるレーザ光の出力レベルが記録レベル（高レベル）のとき、すなわち、光ディスク２からの反射光の光量が高レベルのとき、分割フォトダイオード５の対応する出力端子（受光領域）から出力される電流を正確に（ダイナミックレンジが足りるように）電圧に変換し得るように設定される。
【００５４】
この場合、光ディスク２に照射されるレーザ光の出力レベルが記録レベル、すなわち、光ディスク２からの反射光の光量が高レベルであるので、電流−電圧変換部２２７により、分割フォトダイオード５の対応する出力端子（受光領域）から出力される電流を必要かつ十分なレベルの電圧に変換することができる。
【００５５】
この電流−電圧変換部２２７の増幅率は、電流−電圧変換部２２１〜２２６の増幅率より小さく設定される。
【００５６】
Ｉ−Ｖアンプ６には、図示しない電源（電源回路）から電力が供給されている。すなわち、Ｉ−Ｖアンプ６には、電源電圧Ｖcc（例えば、＋５Ｖ）が印加されている。
【００５７】
なお、前述したＩ−Ｖアンプ６とサンプルホールド回路８とで、本実施例の光学ヘッドの出力制御回路が構成される。
【００５８】
次に、光ディスク装置１の作用について説明する。
光ディスク装置１は、所定のトラックにおいて、フォーカス制御、トラッキング制御、スレッド制御および回転数制御（回転速度制御）等を行いつつ、光ディスク２への情報（データ）の記録（書き込み）または再生（読み出し）等を行う。
【００５９】
まず、記録または再生時における光ディスク装置１全体の作用を簡単に説明し、この後、光学ヘッドの出力制御回路の作用を説明する。
【００６０】
記録の際は、光ディスク２に形成されているプリグルーブが再生され（読み出され）、この後、このプリグルーブに沿って、データ（信号）が記録される。
【００６１】
光ディスク装置１に、図示しないインターフェース制御部を介して、光ディスク２に記録するデータ（信号）が入力されると、そのデータは、エンコードされ、ＥＦＭ（Eight to Fourteen Modulation）と呼ばれる変調方式で変調（ＥＦＭ変調）されて、ＥＮＣＯＲＤＥ  ＥＦＭ信号とされる。
【００６２】
制御手段９は、ＥＮＣＯＲＤＥ  ＥＦＭ信号に基づいて、光学ヘッド３のレーザダイオードの駆動を制御する。
【００６３】
具体的には、制御手段９は、ＥＮＣＯＲＤＥ  ＥＦＭ信号のレベルがハイレベル（Ｈｉ）の期間、レーザ光の出力レベルを記録レベルにし、ＥＮＣＯＲＤＥ  ＥＦＭ信号のレベルがローレベル（Ｌｏ）の期間、レーザ光の出力レベルを再生レベルにする。
【００６４】
これにより、光ディスク２には、ＥＮＣＯＲＤＥ  ＥＦＭ信号のレベルがハイレベル（Ｈｉ）のとき、所定長のピットが書き込まれ、ＥＮＣＯＲＤＥ  ＥＦＭ信号のレベルがローレベル（Ｌｏ）のとき、ピットが書き込まれない（所定長のランドが書き込まれる）。
【００６５】
このようにして、光ディスク２の所定のトラックに、データが書き込まれる（記録される）。
【００６６】
再生の際は、制御手段９は、レーザ光の出力レベルが再生レベルになるように、光学ヘッド３のレーザダイオードの駆動を制御する。
【００６７】
そして、再生レベルのレーザ光が、光学ヘッド３のレーザダイオードから光ディスク２の所定のトラックに照射される。このレーザ光は、光ディスク２で反射し、その反射光は、光学ヘッド３の分割フォトダイオード５で受光される。
【００６８】
この分割フォトダイオード５からは、受光量に応じた電流が出力され、Ｉ−Ｖアンプ６で、所定の増幅率で増幅され、かつ電圧に変換され、光学ヘッド３から出力される。
【００６９】
そして、この光学ヘッド３から出力された電圧、すなわち、検出信号の加算や増幅等を行うことにより、ＨＦ（ＲＦ）信号が生成される。このＨＦ信号は、光ディスク２に書き込まれているピットとランドに対応するアナログ信号である。
【００７０】
このＨＦ信号は、２値化され、ＥＦＭ復調され、所定形式のデータ（ＤＡＴＡ信号）にデコード（変換）される。
【００７１】
そして、このデータは、通信（送信）用の所定形式のデータにデコードされ、図示しないインターフェース制御部を介して、外部装置（例えば、コンピュータ）に送信される。
【００７２】
次に、光学ヘッドの出力制御回路の作用を説明する。
記録または再生の際は、前述したように、レーザ光が光ディスク２に照射される。すなわち、図２に示すように、メインビームがプリグルーブ３１に照射され、２つのサブビームのうちの一方のサブビームが一方のランド３２に照射され、他方のサブビームが他方のランド３３に照射される。
【００７３】
メインビームは、プリグルーブ３１で反射し、その反射光は、分割フォトダイオード５の受光領域５１、５２、５３および５４で受光され、各受光領域５１、５２、５３および５４での受光量に対応する電流Ｉａ、Ｉｂ、ＩｃおよびＩｄが、それぞれ、出力端子５１１、５１２、５１３および５１４から出力される。
【００７４】
また、一方のサブビームは、ランド３２で反射し、その反射光は、分割フォトダイオード５の受光領域５５および５６で受光され、各受光領域５５および５６での受光量に対応する電流ＩｅおよびＩｆが、それぞれ、出力端子５１５および５１６から出力される。
【００７５】
また、他方のサブビームは、ランド３３で反射し、その反射光は、分割フォトダイオード５の受光領域５７および５８で受光され、各受光領域５７および５８での受光量に対応する電流ＩｇおよびＩｈが、それぞれ、出力端子５１７および５１８から出力される。
【００７６】
電流Ｉａ、Ｉｂ、ＩｃおよびＩｄは、それぞれ、入力端子６１１、６１２、６１３および６１４からＩ−Ｖアンプ６に入力される。
【００７７】
また、電流Ｉｅと電流Ｉｇは、加算されてＩｓ1 とされ、入力端子６１５からＩ−Ｖアンプ６に入力される。
【００７８】
また、電流Ｉｆと電流Ｉｈは、加算されてＩｓ2 とされ、入力端子６１６からＩ−Ｖアンプ６に入力される。
【００７９】
図４は、光ディスク装置１の動作状態と、各種信号とを示すタイミングチャート、図５は、光ディスク２に照射されるレーザ光の出力レベルが再生レベルのときの図３に示す光学ヘッドの出力制御回路の状態を示す回路図、図６は、光ディスク２に照射されるレーザ光の出力レベルが記録レベルのときの図３に示す光学ヘッドの出力制御回路の状態を示す回路図である。
【００８０】
再生の際、すなわち、図４に示すように、光ディスク装置１の動作状態が再生状態のときは、前述したように、光ディスク２に照射されるレーザ光の出力レベルが再生レベルとなる。
【００８１】
このときは、光ディスク２からの反射光の光量が低レベルになり、電流Ｉａ、Ｉｂ、Ｉｃ、Ｉｄ、Ｉｓ1 （Ｉｅ＋Ｉｇ）およびＩｓ2 （Ｉｆ＋Ｉｈ）は、それぞれ、図４に示すように低レベルになる。
【００８２】
また、制御手段９は、切替スイッチの制御信号（電圧）のレベルをローレベル（Ｌｏ）に切り替える。
【００８３】
これにより、図５に示すように、各切替スイッチ２１１〜２１６は、それぞれ、入力端子６１１（出力端子５１１）と主路２３１、入力端子６１２（出力端子５１２）と主路２３２、入力端子６１３（出力端子５１３）と主路２３３、入力端子６１４（出力端子５１４）と主路２３４、入力端子６１５（出力端子５１５および５１７）と主路２３５、入力端子６１６（出力端子５１６および５１８）と主路２３６が、導通状態となり、入力端子６１１（出力端子５１１）と分路（バイパス）２３７、入力端子６１２（出力端子５１２）と分路２３７、入力端子６１３（出力端子５１３）と分路２３７、入力端子６１４（出力端子５１４）と分路２３７、入力端子６１５（出力端子５１５および５１７）と分路（バイパス）２３８、入力端子６１６（出力端子５１６および５１８）と分路２３８が、非導通状態となるように切り替わる。
【００８４】
電流Ｉａ〜Ｉｓ2 は、それぞれ、主路２３１〜２３６を経て、電流−電圧変換部２２１〜２２６に入力される。
【００８５】
そして、電流Ｉａ、Ｉｂ、Ｉｃ、Ｉｄ、Ｉｓ1 およびＩｓ2 は、それぞれ、電流−電圧変換部２２１、２２２、２２３、２２４、２２５および２２６で、電流−電圧変換部２２１〜２２６の帰還抵抗（帰還抵抗値）に応じ、かつ、基準電圧Ｖref を基準とする電圧Ｖａ、Ｖｂ、Ｖｃ、Ｖｄ、Ｖｓ1 およびＶｓ2 に変換される。
【００８６】
電圧Ｖａ〜Ｖｓ2 は、それぞれ、Ｉ−Ｖアンプ６、すなわち、光学ヘッド３から出力される。
【００８７】
一方、入力端子６１１と分路２３７、入力端子６１２と分路２３７、入力端子６１３と分路２３７、入力端子６１４と分路２３７、入力端子６１５と分路２３８、入力端子６１６と分路２３８は、それぞれ、非導通状態となっているので、分路２３７および２３８には電流は流れない。
【００８８】
図１に示すように、電圧Ｖａ〜Ｖｓ2 は、それぞれ、光学ヘッド３からサンプルホールド回路８に入力されるが、このサンプルホールド回路８を単に通過して、所定の回路に送出される。
【００８９】
また、記録の際、すなわち、図４に示すように、光ディスク装置１の動作状態が記録状態のときは、前述したように、光ディスク２に照射されるレーザ光の出力レベルが、光ディスク２に記録するデータに応じて、記録レベルと再生レベルとに交互に切り替わる。
【００９０】
光ディスク装置１の動作状態が記録状態で、かつ光ディスク２に照射されるレーザ光の出力レベルが記録レベルのときは、光ディスク２からの反射光の光量が高レベルになり、電流Ｉａ、Ｉｂ、Ｉｃ、Ｉｄ、Ｉｓ1 およびＩｓ2 は、それぞれ、図４に示すように高レベルになる。
【００９１】
また、制御手段９は、切替スイッチの制御信号（電圧）のレベルをハイレベル（Ｈｉ）に切り替える。
【００９２】
これにより、図６に示すように、各切替スイッチ２１１〜２１６は、それぞれ、入力端子６１１（出力端子５１１）と主路２３１、入力端子６１２（出力端子５１２）と主路２３２、入力端子６１３（出力端子５１３）と主路２３３、入力端子６１４（出力端子５１４）と主路２３４、入力端子６１５（出力端子５１５および５１７）と主路２３５、入力端子６１６（出力端子５１６および５１８）と主路２３６が、非導通状態となり、入力端子６１１（出力端子５１１）と分路２３７、入力端子６１２（出力端子５１２）と分路２３７、入力端子６１３（出力端子５１３）と分路２３７、入力端子６１４（出力端子５１４）と分路２３７、入力端子６１５（出力端子５１５および５１７）と分路２３８、入力端子６１６（出力端子５１６および５１８）と分路２３８が、導通状態となるように切り替わる。
【００９３】
電流Ｉａ、Ｉｂ、ＩｃおよびＩｄは、加算されてＩbyとされ、分路２３７を経て、電流−電圧変換部２２７に入力される。
【００９４】
そして、電流Ｉbyは、電流−電圧変換部２２７で、その帰還抵抗（帰還抵抗値）に応じ、かつ、基準電圧Ｖref を基準とする電圧Ｖbyに変換される。
【００９５】
電圧Ｖbyは、Ｉ−Ｖアンプ６、すなわち、光学ヘッド３から出力される。
また、電流Ｉｓ1 およびＩｓ2 は、加算されてＩｓ3 とされ、分路２３８を経て、Ｉ−Ｖアンプ６、すなわち、光学ヘッド３から基準電圧Ｖref を印加する回路側に排出される。
【００９６】
一方、入力端子６１１と主路２３１、入力端子６１２と主路２３２、入力端子６１３と主路２３３、入力端子６１４と主路２３４、入力端子６１５と主路２３５、入力端子６１６と主路２３６は、それぞれ、非導通状態となっているので、主路２３１〜２３６には電流は流れない。
【００９７】
図１に示すように、光学ヘッド３から出力された電圧Ｖbyは、所定の回路に送出される。
【００９８】
そして、光ディスク装置１の動作状態が記録状態で、かつ光ディスク２に照射されるレーザ光の出力レベルが再生レベルになると、光ディスク２からの反射光の光量が低レベルになり、電流Ｉａ、Ｉｂ、Ｉｃ、Ｉｄ、Ｉｓ1 およびＩｓ2 は、それぞれ、図４に示すように低レベルになる。
【００９９】
また、制御手段９は、切替スイッチの制御信号（電圧）のレベルをローレベル（Ｌｏ）に切り替える。
【０１００】
これにより、図５に示すように、各切替スイッチ２１１〜２１６は、それぞれ、入力端子６１１（出力端子５１１）と主路２３１、入力端子６１２（出力端子５１２）と主路２３２、入力端子６１３（出力端子５１３）と主路２３３、入力端子６１４（出力端子５１４）と主路２３４、入力端子６１５（出力端子５１５および５１７）と主路２３５、入力端子６１６（出力端子５１６および５１８）と主路２３６が、導通状態となり、入力端子６１１（出力端子５１１）と分路２３７、入力端子６１２（出力端子５１２）と分路２３７、入力端子６１３（出力端子５１３）と分路２３７、入力端子６１４（出力端子５１４）と分路２３７、入力端子６１５（出力端子５１５および５１７）と分路２３８、入力端子６１６（出力端子５１６および５１８）と分路２３８が、非導通状態となるように切り替わる。
【０１０１】
電流Ｉａ〜Ｉｓ2 は、それぞれ、主路２３１〜２３６を経て、電流−電圧変換部２２１〜２２６に入力される。
【０１０２】
そして、電流Ｉａ、Ｉｂ、Ｉｃ、Ｉｄ、Ｉｓ1 およびＩｓ2 は、それぞれ、電流−電圧変換部２２１、２２２、２２３、２２４、２２５および２２６で、電流−電圧変換部２２１〜２２６の帰還抵抗（帰還抵抗値）に応じ、かつ、基準電圧Ｖref を基準とする電圧Ｖａ、Ｖｂ、Ｖｃ、Ｖｄ、Ｖｓ1 およびＶｓ2 に変換される。
【０１０３】
電圧Ｖａ〜Ｖｓ2 は、それぞれ、Ｉ−Ｖアンプ６、すなわち、光学ヘッド３から出力される。
【０１０４】
一方、入力端子６１１と分路２３７、入力端子６１２と分路２３７、入力端子６１３と分路２３７、入力端子６１４と分路２３７、入力端子６１５と分路２３８、入力端子６１６と分路２３８は、それぞれ、非導通状態となっているので、分路２３７および２３８には電流は流れない。
【０１０５】
図１に示すように、電圧Ｖａ〜Ｖｓ2 は、それぞれ、光学ヘッド３からサンプルホールド回路８に入力されるが、このサンプルホールド回路８を単に通過して、所定の回路に送出される。
【０１０６】
次に、光ディスク装置１の動作状態が記録状態で、かつ光ディスク２に照射されるレーザ光の出力レベルが再び記録レベルになると、光ディスク２からの反射光の光量が高レベルになり、電流Ｉａ、Ｉｂ、Ｉｃ、Ｉｄ、Ｉｓ1 およびＩｓ2 は、それぞれ、図４に示すように高レベルになる。
【０１０７】
このように、光ディスク装置１の動作状態が記録状態で、かつ光ディスク２に照射されるレーザ光の出力レベルが再生レベルから記録レベルに切り替わるときは、その直前に、制御手段９は、サンプルホールド回路８を電圧Ｖａ〜Ｖｓ2 をすべて保持するように作動させる。
【０１０８】
これにより、レーザ光の出力レベルが再生レベルから記録レベルに切り替わる直前の電圧Ｖａ〜Ｖｓ2 が、それぞれ、サンプルホールド回路８で保持され、これらが、それぞれ、所定の回路に送出される。
【０１０９】
また、制御手段９は、切替スイッチの制御信号（電圧）のレベルをハイレベル（Ｈｉ）に切り替える。
【０１１０】
以下、前述したように、図６に示すように、電圧Ｖbyは、光学ヘッド３から所定の回路に送出されるとともに、Ｉｓ3 は、光学ヘッド３から基準電圧Ｖref を印加する回路側に排出され、また、主路２３１〜２３６には電流は流れない。
【０１１１】
次に、光ディスク装置１の動作状態が記録状態で、かつ光ディスク２に照射されるレーザ光の出力レベルが再び再生レベルになると、光ディスク２からの反射光の光量が低レベルになり、電流Ｉａ、Ｉｂ、Ｉｃ、Ｉｄ、Ｉｓ1 およびＩｓ2 は、それぞれ、図４に示すように低レベルになる。
【０１１２】
制御手段９は、切替スイッチの制御信号（電圧）のレベルをローレベル（Ｌｏ）に切り替える。
【０１１３】
以下、前述したように、図５に示すように、電圧Ｖａ〜Ｖｓ2 は、それぞれ、光学ヘッド３から出力され、サンプルホールド回路８に入力され、また、分路２３７および２３８には電流は流れない。
【０１１４】
このように、光ディスク装置１の動作状態が記録状態で、かつ光ディスク２に照射されるレーザ光の出力レベルが記録レベルから再生レベルに切り替わるときは、その直後に、制御手段９は、サンプルホールド回路８を電圧Ｖａ〜Ｖｓ2 をすべて保持しないように作動させる。
【０１１５】
これにより、光学ヘッド３からサンプルホールド回路８に入力される電圧Ｖａ〜Ｖｓ2 は、それぞれ、このサンプルホールド回路８を単に通過して所定の回路に送出される。
【０１１６】
以降、光ディスク装置１の動作状態が記録状態で、光ディスク２に照射されるレーザ光の出力レベルが記録レベルと再生レベルとに交互に切り替わると、前述した動作が繰り返される。
【０１１７】
また、光ディスク装置１の動作状態が、再び再生状態になった場合と、再び記録状態になった場合は、それぞれ、前述した通りであるので説明を省略する。
【０１１８】
この光ディスク装置１では、必要に応じて、前記電圧Ｖａ〜Ｖｓ2 のうちの任意の電圧に基づいて、各種の信号、例えば、ＨＦ（ＲＦ）信号、トラッキングエラー信号、フォーカスエラー信号、トラックロス信号（ＴＬＮ信号）、ウォブル信号（ＷＯＢＢＬＥ信号）等が生成される。これらの信号は、記録時や再生時の所定の制御に利用される。
【０１１９】
また、この光ディスク装置１では、前記電圧Ｖbyは、必要に応じて、記録時の所定の制御に利用される。
【０１２０】
以上説明したように、この光学ヘッドの出力制御回路によれば、光ディスク２に照射されるレーザ光の出力レベルが再生レベル、すなわち、光ディスク２からの反射光の光量が低レベルの場合には、分割フォトダイオード５からの電流は、主路に流れ、光ディスク２に照射されるレーザ光の出力レベルが記録レベル、すなわち、光ディスク２からの反射光の光量が高レベルの場合には、前記電流は、分岐部を介して前記主路から分岐した分路に流れるので、Ｉ−Ｖアンプ６の各電流−電圧変換部２２１〜２２７のダイナミックレンジが足りなくなるのを防止することができる。
【０１２１】
特に、記録時における前記レーザ光の出力レベルが再生レベルの際と、再生時に、比較的高レベルで、かつ受光量に応じた正確な電圧Ｖａ〜Ｖｓ2 を得ることができる。これにより、記録時や再生時の制御、例えば、フォーカス制御、トラッキング制御、光学ヘッド３の目的トラックへの移動（トラックジャンプ制御）、デコード等を確実に行うことができる。
【０１２２】
また、記録時における前記レーザ光の出力レベルが記録レベルの際、比較的高レベルで、かつ受光量に応じた正確な電圧Ｖbyを得ることができ、これを記録時の所定の制御に利用することができる。
【０１２３】
また、この光学ヘッドの出力制御回路では、記録時における前記レーザ光の出力レベルが記録レベルの際、分割フォトダイオード５からの電流が分路に流れるので、図４に示すように、電圧Ｖａ〜Ｖｓ2 の波形には、それぞれ、電圧Ｖbyの波形の突出部３４に相当するものが形成されない。これにより、電圧Ｖａ〜Ｖｓ2 のうちの任意の電圧に基づいて所定の信号を生成する回路、例えば、ＨＦ（ＲＦ）信号を生成する回路、トラッキングエラー信号を生成する回路、フォーカスエラー信号を生成する回路、トラックロス信号（ＴＬＮ信号）を生成する回路、ウォブル信号（ＷＯＢＢＬＥ信号）を生成する回路等に、突出部３４の影響を軽減または除去する補正回路等を別途設ける必要がないので、前記所定の信号を生成する回路の構成を簡素化することができる。
【０１２４】
また、この光学ヘッドの出力制御回路は、サンプルホールド回路８を有しているので、記録時や再生時の制御をより確実に行うことができる。
【０１２５】
また、この光学ヘッドの出力制御回路では、切替スイッチ２１１〜２１６と、電流−電圧変換部２２１〜２２７とが一体化されているので、部品点数が少なく、このため、光ディスク装置１への組み付けを容易に行うことができる。
【０１２６】
また、切替スイッチ２１１〜２１６と、電流−電圧変換部２２１〜２２７とが一体化されているので、光学ヘッド３における実装面積を比較的狭くすることができ、このため光学ヘッド３の小型化に有利である。
【０１２７】
次に、本発明の光学ヘッドの出力制御回路の第２実施例を説明する。
図７は、本発明の光学ヘッドの出力制御回路の第２実施例を示す回路図である。なお、前述した第１実施例との共通点については、説明を省略し、主な相違点を説明する。
【０１２８】
同図に示すように、この出力制御回路では、Ｉ−Ｖアンプ６のスイッチ部２１は、８つの切替スイッチ２１１、２１２、２１３、２１４、２１５、２１６、２１７および２１８で構成されている。各切替スイッチ２１１〜２１８は、それぞれ、例えば、アナログスイッチで構成される。
【０１２９】
各切替スイッチ２１１〜２１８の作動は、それぞれ、制御手段９からの制御信号により制御される。
【０１３０】
電流−電圧変換手段２２は、８つの第１の電流−電圧変換部（第１の電流−電圧変換増幅回路）２２１、２２２、２２３、２２４、２２５、２２６、２２８および２２９と、第２の電流−電圧変換部（第２の電流−電圧変換回路）２２７とで構成されている。以下、第１の電流−電圧変換部および第２の電流−電圧変換部をそれぞれ単に「電流−電圧変換部」と言う。
【０１３１】
各電流−電圧変換部２２１〜２２９は、それぞれ、オペアンプを備えた差動増幅器で構成されている。
【０１３２】
そして、各電流−電圧変換部２２１〜２２９の非反転入力端子には、それぞれ、所定レベルの基準電圧Ｖref （例えば、＋２．５Ｖ）が印加されている。
【０１３３】
電流−電圧変換部２２１〜２２６、２２８および２２９の増幅率等の諸条件は、それぞれ、光ディスク２に照射されるレーザ光の出力レベルが再生レベル（低レベル）のとき、すなわち、光ディスク２からの反射光の光量が低レベルのとき、分割フォトダイオード５の対応する出力端子（受光領域）から出力される電流を必要かつ十分なレベルの電圧に変換し得るように設定される。
【０１３４】
この場合、光ディスク２に照射されるレーザ光の出力レベルが再生レベル、すなわち、光ディスク２からの反射光の光量が低レベルであるので、電流−電圧変換部２２１〜２２６、２２７および２２９のダイナミックレンジは、それぞれ、十分に足りる。
【０１３５】
また、電流−電圧変換部２２７の増幅率等の諸条件は、光ディスク２に照射されるレーザ光の出力レベルが記録レベル（高レベル）のとき、すなわち、光ディスク２からの反射光の光量が高レベルのとき、分割フォトダイオード５の対応する出力端子（受光領域）から出力される電流を正確に（ダイナミックレンジが足りるように）電圧に変換し得るように設定される。
【０１３６】
この場合、光ディスク２に照射されるレーザ光の出力レベルが記録レベル、すなわち、光ディスク２からの反射光の光量が高レベルであるので、電流−電圧変換部２２７により、分割フォトダイオード５の対応する出力端子（受光領域）から出力される電流を必要かつ十分なレベルの電圧に変換することができる。
【０１３７】
この電流−電圧変換部２２７の増幅率は、電流−電圧変換部２２１〜２２６、２２８および２２９の増幅率より小さく設定される。
【０１３８】
この出力制御回路では、電流Ｉａ、Ｉｂ、Ｉｃ、Ｉｄ、Ｉｅ、Ｉｆ、ＩｇおよびＩｈは、それぞれ、出力端子５１１、５１２、５１３、５１４、５１５、５１６、５１７および５１８から出力され、入力端子６１１、６１２、６１３、６１４、６１５、６１６、６１７および６１８からＩ−Ｖアンプ６に入力される。
【０１３９】
光ディスク２に照射されるレーザ光の出力レベルが再生レベルに切り替わるときは、制御手段９は、切替スイッチの制御信号（電圧）のレベルをローレベル（Ｌｏ）に切り替える。
【０１４０】
これにより、各切替スイッチ２１１〜２１８は、それぞれ、入力端子６１１（出力端子５１１）と主路２３１、入力端子６１２（出力端子５１２）と主路２３２、入力端子６１３（出力端子５１３）と主路２３３、入力端子６１４（出力端子５１４）と主路２３４、入力端子６１５（出力端子５１５）と主路２３５、入力端子６１６（出力端子５１６）と主路２３６、入力端子６１７（出力端子５１７）と主路２４１、入力端子６１８（出力端子５１８）と主路２４２が、導通状態となり、入力端子６１１（出力端子５１１）と分路２３７、入力端子６１２（出力端子５１２）と分路２３７、入力端子６１３（出力端子５１３）と分路２３７、入力端子６１４（出力端子５１４）と分路２３７、入力端子６１５（出力端子５１５）と分路２３８、入力端子６１６（出力端子５１６）と分路２３８、入力端子６１７（出力端子５１７）と分路２３８、入力端子６１８（出力端子５１８）と分路２３８が、非導通状態となるように切り替わる。
【０１４１】
電流Ｉａ〜Ｉｈは、それぞれ、主路２３１〜２３６、２４１および２４２を経て、電流−電圧変換部２２１〜２２６、２２８および２２９に入力される。
【０１４２】
そして、電流Ｉａ、Ｉｂ、Ｉｃ、Ｉｄ、Ｉｅ、Ｉｆ、ＩｇおよびＩｈは、それぞれ、電流−電圧変換部２２１、２２２、２２３、２２４、２２５、２２６、２２８および２２９で、電圧Ｖａ、Ｖｂ、Ｖｃ、Ｖｄ、Ｖｅ、Ｖｆ、ＶｇおよびＶｈに変換される。
【０１４３】
電圧Ｖａ〜Ｖｈは、それぞれ、Ｉ−Ｖアンプ６、すなわち、光学ヘッド３から出力され、サンプルホールド回路８に入力される。
【０１４４】
一方、入力端子６１１と分路２３７、入力端子６１２と分路２３７、入力端子６１３と分路２３７、入力端子６１４と分路２３７、入力端子６１５と分路２３８、入力端子６１６と分路２３８、入力端子６１７と分路２３８、入力端子６１８と分路２３８は、それぞれ、非導通状態となっているので、分路２３７および２３８には電流は流れない。
【０１４５】
また、光ディスク２に照射されるレーザ光の出力レベルが記録レベルに切り替わるときは、制御手段９は、切替スイッチの制御信号（電圧）のレベルをハイレベル（Ｈｉ）に切り替える。
【０１４６】
これにより、各切替スイッチ２１１〜２１８は、それぞれ、入力端子６１１（出力端子５１１）と主路２３１、入力端子６１２（出力端子５１２）と主路２３２、入力端子６１３（出力端子５１３）と主路２３３、入力端子６１４（出力端子５１４）と主路２３４、入力端子６１５（出力端子５１５）と主路２３５、入力端子６１６（出力端子５１６）と主路２３６、入力端子６１７（出力端子５１７）と主路２４１、入力端子６１８（出力端子５１８）と主路２４２が、非導通状態となり、入力端子６１１（出力端子５１１）と分路２３７、入力端子６１２（出力端子５１２）と分路２３７、入力端子６１３（出力端子５１３）と分路２３７、入力端子６１４（出力端子５１４）と分路２３７、入力端子６１５（出力端子５１５）と分路２３８、入力端子６１６（出力端子５１６）と分路２３８、入力端子６１７（出力端子５１７）と分路２３８、入力端子６１８（出力端子５１８）と分路２３８が、導通状態となるように切り替わる。
【０１４７】
電流Ｉａ、Ｉｂ、ＩｃおよびＩｄは、加算されてＩbyとされ、分路２３７を経て、電流−電圧変換部２２７に入力される。
【０１４８】
そして、電流Ｉbyは、電流−電圧変換部２２７で、電圧Ｖbyに変換される。この電圧Ｖbyは、Ｉ−Ｖアンプ６、すなわち、光学ヘッド３から出力され、所定の回路に送出される。
【０１４９】
また、電流Ｉｅ、Ｉｆ、ＩｇおよびＩｈは、加算されてＩｓ3 とされ、分路２３８を経て、Ｉ−Ｖアンプ６、すなわち、光学ヘッド３から基準電圧Ｖref を印加する回路側に排出される。
【０１５０】
一方、入力端子６１１と主路２３１、入力端子６１２と主路２３２、入力端子６１３と主路２３３、入力端子６１４と主路２３４、入力端子６１５と主路２３５、入力端子６１６と主路２３６、入力端子６１７と主路２４１、入力端子６１８と主路２３８は、それぞれ、非導通状態となっているので、主路２３１〜２３６、２４１および２４２には電流は流れない。
【０１５１】
この第２実施例の出力制御回路でも前述した第１実施例の出力制御回路と同様の効果が得られる。
【０１５２】
次に、本発明の光学ヘッドの出力制御回路の第３実施例を説明する。
図８は、本発明の光学ヘッドの出力制御回路を備えた光ディスク装置の構成例（主要部）を示すブロック図、図９は、本発明の光学ヘッドの出力制御回路の第３実施例を示す回路図である。なお、前述した第１実施例との共通点については、説明を省略し、主な相違点を説明する。
【０１５３】
これらの図に示すように、この出力制御回路は、分割フォトダイオード５とＩ−Ｖアンプ６とを一体化したフォトＩＣ１２を有している。
【０１５４】
この場合、分割フォトダイオード５の各アノードは、それぞれ、接地されている。
【０１５５】
この第３実施例の出力制御回路でも前述した第１実施例の出力制御回路と同様の効果が得られる。
【０１５６】
そして、この出力制御回路では、分割フォトダイオード５とＩ−Ｖアンプ６とが一体化されているので、前述した第１実施例に比べ、光ディスク装置１への組み付けを容易に行うことができ、また、光学ヘッド３における実装面積を狭くすることができる。
【０１５７】
次に、本発明の光学ヘッドの出力制御回路の第４実施例を説明する。
図１０は、本発明の光学ヘッドの出力制御回路の第４実施例を示す回路図である。なお、前述した第２実施例との共通点については、説明を省略し、主な相違点を説明する。
【０１５８】
同図に示すように、この出力制御回路は、分割フォトダイオード５とＩ−Ｖアンプ６とを一体化したフォトＩＣ１２を有している。
【０１５９】
この場合、分割フォトダイオード５の各アノードは、それぞれ、接地されている。
【０１６０】
この第４実施例の出力制御回路でも前述した第２実施例の出力制御回路と同様の効果が得られる。
【０１６１】
そして、この出力制御回路では、分割フォトダイオード５とＩ−Ｖアンプ６とが一体化されているので、前述した第２実施例に比べ、光ディスク装置１への組み付けを容易に行うことができ、また、光学ヘッド３における実装面積を狭くすることができる。
【０１６２】
本発明の光学ヘッドの出力制御回路は、前述したＣＤ−Ｒドライブ装置における光学ヘッドの出力制御回路に限らず、この他、例えば、ＣＤ−ＲＷ、ＤＶＤ−Ｒ、ＤＶＤ−ＲＡＭ等の記録・再生が可能な光ディスク（プリグルーブを有する光ディスク）を記録・再生する各種光ディスク装置、ＣＤ（コンパクトディスク）、ＣＤ−ＲＯＭ等の再生専用の光ディスクや、記録・再生が可能な光ディスクを再生する各種光ディスク装置における光学ヘッドの出力制御回路に適用することができる。
【０１６３】
但し、本発明の光学ヘッドの出力制御回路は、光ディスクを記録・再生する光ディスク装置における光学ヘッドの出力制御回路に適する。
【０１６４】
また、本発明の光学ヘッドの出力制御回路は、複数種の光ディスクを記録および／または再生する各種光ディスク装置における光学ヘッドの出力制御回路に適用することもできる。
【０１６５】
以上、本発明の光学ヘッドの出力制御回路を、図示の各実施例に基づいて説明したが、本発明はこれらに限定されるものではなく、各部の構成は、同様の機能を有する任意の構成のものに置換することができる。
【０１６６】
例えば、本発明では、分割フォトダイオードの分割数、すなわち、受光部の受光領域の数は、８に限らず、７以下でもよく、または９以上でもよい。
【０１６７】
また、本発明では、受光部は、フォトダイオードに限らず、この他、例えば、フォトトランジスタでもよい。
【０１６８】
また、本発明では、２つのサブビーム（副ビーム）のうちの一方または両方が省略されていてもよい。
【０１６９】
また、前述したＩ−Ｖアンプ６やフォトＩＣ１２を本発明の光学ヘッドの出力制御回路としてもよい。
【０１７０】
【発明の効果】
以上説明したように、本発明の光学ヘッドの出力制御回路によれば、電流−電圧変換部のダイナミックレンジが足りなくなるのを防止することができる。
【０１７１】
特に、比較的高レベルで、受光部での受光量に応じた正確な電圧（信号）を得ることができ、これにより、記録時や再生時の制御を確実に行うことができる。
【０１７２】
また、第１の電流−電圧変換部からの電圧を保持し得る保持回路を有する場合には、記録時や再生時の制御をより確実に行うことができる。
【図面の簡単な説明】
【図１】本発明の光学ヘッドの出力制御回路を備えた光ディスク装置の構成例（主要部）を示すブロック図である。
【図２】本発明において、記録または再生時における光ディスクに照射されたレーザ光の反射光と、分割フォトダイオードとの位置関係を模式的に示す図である。
【図３】本発明の光学ヘッドの出力制御回路の第１実施例を示す回路図である。
【図４】本発明における光ディスク装置の動作状態と、各種信号とを示すタイミングチャートである。
【図５】光ディスクに照射されるレーザ光の出力レベルが再生レベルのときの図３に示す光学ヘッドの出力制御回路の状態を示す回路図である。
【図６】光ディスクに照射されるレーザ光の出力レベルが記録レベルのときの図３に示す光学ヘッドの出力制御回路の状態を示す回路図である。
【図７】本発明の光学ヘッドの出力制御回路の第２実施例を示す回路図である。
【図８】本発明の光学ヘッドの出力制御回路を備えた光ディスク装置の構成例（主要部）を示すブロック図である。
【図９】本発明の光学ヘッドの出力制御回路の第３実施例を示す回路図である。
【図１０】本発明の光学ヘッドの出力制御回路の第４実施例を示す回路図である。
【図１１】従来の光ディスク装置の分割フォトダイオードおよびＩ−Ｖアンプを示す回路図である。
【符号の説明】
１              光ディスク装置
２              光ディスク
３              光学ヘッド
４              アクチュエータ
５              分割フォトダイオード
５１〜５８      受光領域
５１１〜５１８  出力端子
６              Ｉ−Ｖアンプ
６１１〜６１８  入力端子
７              スレッドモータ
８              サンプルホールド回路
９              制御手段
１１            スピンドルモータ
１２            フォトＩＣ
２１            スイッチ部
２１１〜２１８  切替スイッチ
２２            電流−電圧変換手段
２２１〜２２９  電流−電圧変換部
２３１〜２３６  主路
２３７、２３８  分路
２４１、２４２  主路
３１            プリグルーブ
３２、３３      ランド
３４            突出部
１１０          分割フォトダイオード
１１１〜１１６  受光領域
１２１〜１２６  Ｉ−Ｖアンプ
【図１】
0003835653.tif 000002
【図２】
0003835653.tif 000003
【図３】
0003835653.tif 000004
【図４】
0003835653.tif 000005
【図５】
0003835653.tif 000006
【図６】
0003835653.tif 000007
【図７】
0003835653.tif 000008
【図８】
0003835653.tif 000009
【図９】
0003835653.tif 000010
【図１０】
0003835653.tif 000011
【図１１】
0003835653.tif 000012